(57)【特許請求の範囲】
【請求項１】
特定の要求信号に応じて、予め決められたアイテム、当該アイテムの数量および購入金額を特定するカート情報データを生成するショッピングカート手段と、
ログインＩＤの認証に応じて前記ログインＩＤに関連する決済情報を含むアカウント情報データを取得し、前記アカウント情報データに前記カート情報データを関連づける購入情報作成手段と、
予め決められた時間の計時であって前記アイテムの利用者によって開始される計時の完了を特定するタイムアップ信号を受信すると、記憶手段に、前記アカウント情報データおよび前記カート情報データに基づき作成された注文書を保存する発注手段と
を備えることを特徴とするショッピングサイト装置。
【請求項２】
請求項１に記載のショッピングサイト装置において、前記タイムアップ信号の受信にあたって、前記要求信号で特定されるモバイル通信端末に向け、予め決められた時間長さの映像を特定する映像信号を供給する配信手段を備えることを特徴とするショッピングサイト装置。
【請求項３】
請求項２に記載のショッピングサイト装置において、前記配信手段は、前記映像信号の供給にあたって、前記モバイル通信端末から、予め決められた文字列を特定する開始信号を受領することを特徴とするショッピングサイト装置。
【発明の詳細な説明】
【技術分野】
【０００１】
本発明は、アイテム、当該アイテムの数量および購入金額を特定するカート情報データを生成するショッピングカート手段と、ログインＩＤの認証に応じてログインＩＤに関連する決済情報を含むアカウント情報データを取得し、アカウント情報データにカート情報データを関連づける購入情報作成手段と、記憶手段に、アカウント情報データおよびカート情報データに基づき作成された注文書を保存する発注手段とを備えるショッピングサイト装置に関する。
【背景技術】
【０００２】
特許文献１は、ショッピングカートを利用したショッピングサイト（Ｗｅｂページ）を開示する。Ｗｅｂページは、例えばマウスボタンのシングルクリックでアイテムの注文を完了することができるシングルアクション注文セクションを含む。シングルアクション注文セクションによれば、アイテムの購入者はいちいち氏名や住所、決済情報といったアカウント情報を入力せずにアイテムを注文することができる。入力の手間が省かれることで消費者の購買行動は促進されることができる。
【先行技術文献】
【特許文献】
【０００３】
【特許文献１】特開２０００−９９５９２号公報
【発明の概要】
【発明が解決しようとする課題】
【０００４】
消費者は、美容フェイスパック（フェイスマスク）の使用後や容器入り即席麺（例えばカップラーメン）の消費後に同じ物の補充（いわゆる買い置き）を希望する。特許文献１に記載のＷｅｂページでは少なくとも電子カタログで消費者はアイテムを選択しマウスボタンをクリックしなければならない。消費者は意図的にアイテムの発注処理を実施しなければならない。
【０００５】
コピー機やプリンター、ウオーターサーバーといった機器ではトナーやインク、水の残量に応じて自動でトナーやインク、水を発注するものが存在する。利用者が特に意識せずともトナーやインク、水は補充されることができる。しかしながら、美容フェイスパックといった化粧品や容器入り即席麺といった食料品に関し、特殊な機器なしに残量や買い置きが管理されることはできない。一般家庭で人的労力なしに化粧品や食料品（通信機器に直接に繋がらないもの）の残量や買い置きを管理することは難しい。
【０００６】
本発明は、通信機器に直接に繋がらないものであっても自動で買い置きを作り出すことができるショッピングサイト装置を提供することを目的とする。
【課題を解決するための手段】
【０００７】
本発明の第１側面によれば、特定の要求信号に応じて、予め決められたアイテム、当該アイテムの数量および購入金額を特定するカート情報データを生成するショッピングカート手段と、ログインＩＤの認証に応じて前記ログインＩＤに関連する決済情報を含むアカウント情報データを取得し、前記アカウント情報データに前記カート情報データを関連づける購入情報作成手段と、予め決められた時間の計時の完了を特定するタイムアップ信号を受信すると、記憶手段に、前記アカウント情報データおよび前記カート情報データに基づき作成された注文書を保存する発注手段とを備えるショッピングサイト装置は提供される。
【０００８】
例えばモバイル通信端末から送信される要求信号に応じて、ショッピングカート手段は自動で予め決められたカート情報データを作成する。購入情報作成手段は、ログインＩＤの認証に応じて得られたアカウント情報データにカート情報データを関連づける。こうしてアカウント情報データおよびカート情報データに基づき注文書は作成されることができる。発注手段は、予め決められた時間の計時の完了を特定するタイムアップ信号を受信すると、記憶手段に注文書を保存する。アイテムの販売者は、保存された注文書に基づきログインＩＤの所有者（以下「利用者」という）にアイテムを発送することができる。こうして利用者はアイテムを入手することができる。
【０００９】
ここで、美容フェイスパック（フェイスマスク）の使用や容器入り即席麺の消費にあたって予め決められた時間（例えば３分間）の計時は要求される。利用者はタイマーの作動に基づき時間を計測することができる。こうしてアイテムの利用にあたって作動するタイマーからタイムアップ信号は出力されることができる。アイテムの利用にあたって作動するタイマーと注文書とは関連づけられることができる。アイテムの利用（フェイスパックの使用や容器入り即席麺の消費）は販売者から利用者に向けたアイテムの発送に関連づけられることができる。こうしてショッピングサイト装置は自動で買い置きを作り出すことができる。
【００１０】
ショッピングサイト装置は、前記タイムアップ信号の受信にあたって、前記要求信号で特定されるモバイル通信端末に向け、予め決められた時間長さの映像を特定する映像信号を供給する配信手段を備えてもよい。予め決められた時間の計時中（フェイスパックの使用中や容器入り即席麺の調理中）、利用者は映像を観賞することができる。映像の終了に応じてタイムアップ信号は生成されることができる。アイテムの利用にあたって要求される退屈な時間は楽しい時間に変換されることができる。
【００１１】
前記配信手段は、前記映像信号の供給にあたって、前記モバイル通信端末から、予め決められた文字列を特定する開始信号を受領してもよい。予め決められた時間の計時にあたって配信手段はモバイル通信端末から計時の開始信号を受信することができる。開始信号には特定の文字列が用いられることができる。利用者は計時の開始にあたって文字列（合い言葉）の入力を楽しむことができる。文字列が定期的に変更されれば、利用者の楽しみはさらに増加することができる。
【００１２】
本発明の第２側面によれば、モバイル通信端末に組み込まれて、予め決められた時間の計時の完了を特定するタイムアップ信号を出力するタイマーと、前記モバイル通信端末から送信される要求信号に応じて、予め決められたアイテム、当該アイテムの数量および購入金額を特定するカート情報データを生成するショッピングカート手段と、ログインＩＤの認証に応じて前記ログインＩＤに関連する決済情報を含むアカウント情報データを取得し、前記タイムアップ信号を受信すると前記決済情報に基づき決済処理を実行する決済手段と、決済処理の完了に応じて、記憶手段に、前記アカウント情報データおよび前記カート情報データに基づき作成された注文書を保存する発注手段とを備えるショッピングサイトシステムが提供される。
【００１３】
モバイル通信端末から送信される要求信号に応じて、ショッピングカート手段は自動で予め決められたカート情報データを作成する。決済手段は、タイムアップ信号を受信すると、ログインＩＤの認証に応じて得られたアカウント情報データに基づき決済処理を実行する。決済処理が完了すると、アカウント情報データおよびカート情報データに基づき注文書は作成されることができる。注文書は記憶手段に保存される。アイテムの販売者は、保存された注文書に基づきログインＩＤの所有者（以下「利用者」という）にアイテムを発送することができる。こうして利用者はアイテムを入手することができる。
【００１４】
ここで、美容フェイスパック（フェイスマスク）の使用や容器入り即席麺の消費にあたって予め決められた時間（例えば３分間）の計時は要求される。利用者はタイマーの作動に基づき時間を計測することができる。こうしてアイテムの利用にあたって作動するタイマーからタイムアップ信号は出力されることができる。アイテムの利用にあたって作動するタイマーと注文書とは関連づけられることができる。アイテムの利用（フェイスパックの使用や容器入り即席麺の消費）は販売者から利用者に向けたアイテムの発送に関連づけられることができる。注文書に基づきアイテムは利用者に向けて発送されることができる。こうしてショッピングサイトシステムは自動で買い置きを作り出すことができる。
【００１５】
前記タイマーは、前記時間の計時に先立って、前記モバイル通信端末のディスプレイに、前記注文書の最終確認の入力を受け付ける画像を表示してもよい。時間の計時に先立って利用者には注文書の最終確認の入力が促される。利用者は事前にアイテムの自動発注を認識することができる。本ショッピングサイトシステムではカート情報データおよびアカウント情報データは予め決まることから、計時に先立って注文書の最終確認は実現されることができる。利用者はアイテムの購入に納得した上で時間の計時を楽しむことができる。
【００１６】
本発明の第３側面によれば、ショッピングサイトとの間で経路を確立する際に、ログインＩＤの認証処理の開始を特定する第１開始信号を生成する手順と、予め決められたアイテム、当該アイテムの数量および購入金額を特定する購入情報信号を生成する手順と、予め決められた時間を計時する手順と、前記認証処理の完了後であって前記時間の計時が終了すると、決済処理の開始を特定する第２開始信号を生成する手順と、前記決済処理の完了に応じて、前記購入情報信号に基づき作成された注文書の登録処理の開始を特定する第３開始信号を生成する手順とをプロセッサーに実行させるモバイル通信端末向けプログラムが提供される。
【００１７】
モバイル通信端末向けプログラムがモバイル通信端末で実行されると、ショッピングサイトとモバイル通信端末との間で経路は確立されることができる。経路の確立にあたってモバイル通信端末で第１開始信号が生成されると、第１開始信号の生成に応じてログインＩＤの認証処理は開始されることができる。ログインＩＤの認証に応じて経路へのアクセスは制限されることができる。こうして決済処理の環境は整えられることができる。認証処理の完了後に時間の計時が終了すると、第２開始信号の生成に応じて決済処理は開始されることができる。決済処理が完了すると、第３開始信号の生成に応じて注文書の登録処理は開始されることができる。アイテムの販売者は、登録された注文書に基づき利用者にアイテムを発送することができる。こうして利用者はアイテムを入手することができる。
【００１８】
ここで、美容フェイスパック（フェイスマスク）の使用や容器入り即席麺の消費にあたって予め決められた時間（例えば３分間）の計時は要求される。モバイル通信端末は計時にあたって利用されることができる。こうしてアイテムの利用（美容フェイスパックの使用や容器入り即席麺の消費）は販売者から利用者に向けたアイテムの発送に関連づけられることができる。モバイル通信端末の操作に応じてショッピングサイトは自動で買い置きを作り出すことができる。
【００１９】
モバイル通信端末向けプログラムは、前記購入情報信号の生成にあたって、前記ショッピングサイトのサイトページのデータを取得し、前記サイトページ中で、前記ログインＩＤに紐付けられた前記アイテムを指定する第１指定信号を生成する手順と、前記アイテムの指定に関連して、前記サイトページ中で、前記アイテムの数量を指定する第２指定信号を生成する手順と、前記アイテムの指定に関連して、前記サイトページ中で、前記アイテムの購入の意思を特定する処理動作を実行する手順とをプロセッサーにさらに実行させてもよい。
【００２０】
第１指定信号が生成されると、ショッピングサイトのサイトページで予め決められたアイテムは指定される。第２指定信号が生成されると、ショッピングサイトのサイトページでアイテムの数量は指定される。アイテムの購入の意思を特定する処理動作が実行されると、予め決められたアイテム、アイテムの数量および購入金額を特定する購入情報信号は生成されることができる。利用者は、アイテムの選択、数量の指定、「カートに入れる」ボタンのタップといった操作から解放されることができる。利用者の手間は省かれ利便性は向上することができる。
【００２１】
モバイル通信端末向けプログラムは、前記時間の計時に先立って前記モバイル通信端末のディスプレイに前記アイテムの購入に関する確認事項を特定する画像を表示する手順と、前記時間の計時を開始する指示の入力に応じて、前記確認事項の承認を特定する承認信号を前記ショッピングサイトに送信する手順とをプロセッサーにさらに実行させてもよい。
【００２２】
時間の計時に先立って利用者にはアイテムの購入に関する確認事項がディスプレイで提示される。利用者は計時に連動するアイテムの購入を認識することができる。計時の開始にあたって利用者が計時開始の指示を入力すると、ショッピングサイトに対してアイテムの購入は承認されることができる。こうして利用者の意に反してアイテムが購入されることは回避されることができる。
【発明の効果】
【００２３】
以上のように、本発明によれば、通信機器に直接に繋がらないものであっても自動で買い置きを作り出すことができるショッピングサイト装置は実現されることができる。
【図面の簡単な説明】
【００２４】
【図１】本発明の第１実施形態に係るショッピングサイトシステムの構成を概略的に示すブロック図である。
【図２】ショッピングサイトの表示データに基づきスマートフォン端末のディスプレイパネルに表示された画像の一例を示す概念図である。
【図３】ショッピングサイトの表示データに基づきスマートフォン端末のディスプレイパネルに表示された画像の一例を示す概念図である。
【図４】ショッピングサイトの表示データに基づきスマートフォン端末のディスプレイパネルに表示された画像の一例を示す概念図である。
【図５】スマートフォン端末のディスプレイパネルに表示されたタイマーの画像の一例を示す概念図である。
【図６】第１実施形態に係るショッピングサイトシステムの処理手順を概略的に示すフローチャートである。
【図７】美容フェイスパックの利用の流れを概略的に示す概念図である。
【図８】予め決められた時間の計時に関連してショッピングサイトシステムの処理手順を概略的に示すフローチャートである。
【図９】最終確認の入力を受け付ける画像の一例を示す概念図である。
【図１０】本発明の第２実施形態に係るショッピングサイトシステムの構成を概略的に示すブロック図である。
【図１１】予め決められた時間の計時に関連してショッピングサイトシステムの処理手順を概略的に示すフローチャートである。
【図１２】予め決められた時間の計時にあたってスマートフォン端末のディスプレイパネルに表示される画像の構図を示す概念図である。
【図１３】本発明の第３実施形態に係るショッピングサイトシステムの構成を概略的に示すブロック図である。
【図１４】予め決められた時間の計時に関連してショッピングサイトシステムの処理手順を概略的に示すフローチャートである。
【図１５】購入に関する確認事項を特定する画像の一例を示す概念図である。
【図１６】本発明の第４実施形態に係るショッピングサイトシステムの構成を概略的に示すブロック図である。
【図１７】予め決められた時間の計時に関連してショッピングサイトシステムの処理手順を概略的に示すフローチャートである。
【発明を実施するための形態】
【００２５】
以下、添付図面を参照しつつ本発明の実施形態を説明する。
【００２６】
図１は本発明の第１実施形態に係るショッピングサイトシステム１１の構成を概略的に示す。ショッピングサイトシステム１１は、インターネット１２に接続されて、スマートフォン端末（モバイル通信端末）１３の所有者（以下「利用者」という）の希望に応じて利用者と販売者との間で商取引を実現するショッピングサイト装置１４を備える。ショッピングサイト装置１４は、個々のログインＩＤごとにアカウント情報を蓄積するアカウント情報データベース１５を格納する第１記憶装置１６と、個々の商取引ごとに注文書を蓄積する注文書データベース１７を格納する第２記憶装置１８とを有する。
【００２７】
アカウント情報には、例えば、利用者の氏名、住所（配送先）、決済情報およびログインパスワードが含まれる。決済情報には、例えば、選択されたデフォルトの支払い方法、クレジットカードのカード番号、クレジットカードの有効期限が含まれる。支払い方法は、例えば、クレジットカード払いや銀行振込、代引き、コンビニエンスストア払いから選択されることができる。
【００２８】
注文書には、個々の商取引ごとに、購入されたアイテム、アイテムの数量および購入金額が記述される。アイテムは例えば商品名で特定されることができる。個々の注文書には利用者の氏名、住所および決済情報といったアカウント情報（またはログインＩＤ）が記述される。
【００２９】
ショッピングサイトシステム１１は、個々の利用者ごとにアカウント情報を管理するアカウント管理手段１９を備える。アカウント管理手段１９は、個々の識別番号（ログインＩＤ）ごとに、アカウント情報を特定するアカウント情報データを生成する。アカウント情報データはアカウント管理手段１９から第１記憶装置１６のアカウント情報データベース１５に登録される。アカウント情報データは第１記憶装置１６に保存される。アカウント管理手段１９は、登録されたパスワードに基づきログインＩＤを認証する。第１記憶装置１６および第２記憶装置１８は例えばディスクアレイ装置を含む。
【００３０】
ショッピングサイト装置１４は、スマートフォン端末１３から送信される表示要求に応じて、当該スマートフォン端末１３に向けてショッピングサイトの表示データを送信するショッピングサイト表示手段２１と、スマートフォン端末１３から送信される選択信号で指定されるアイテム（商品）、当該アイテムの数量および購入金額を特定するカート情報データを生成するショッピングカート手段２２と、利用者の氏名や住所（配送先）、決済情報といったアカウント情報を含むアカウント情報データを取得し、アカウント情報データにカート情報データを関連づける購入情報作成手段２３と、アカウント情報データおよびカート情報データに基づき注文書を作成し、第２記憶装置１８の注文書データベース１７に注文書を登録する発注手段２４とを備える。アカウント情報データの取得にあたってアカウント管理手段１９はログインＩＤを認証する。ログインＩＤの認証に応じて発注手段２４は決済処理を実行する。
【００３１】
ショッピングサイト装置１４は、スマートフォン端末１３から送信される開始信号に応じて予め決められた時間を計時し、計時の完了を特定するタイムアップ信号を出力するタイマー２５をさらに備える。タイムアップ信号は例えばタイマー２５から発注手段２４に供給される。タイムアップ信号の供給にあたってタイムアップ信号には予め特定のスマートフォン端末１３が紐付けられる。発注手段２４は、タイムアップ信号を受信すると、第２記憶装置１８の注文書データベース１７に、紐付けられたスマートフォン端末１３に関する注文書を登録する。こうして注文書は第２記憶装置１８に保存される。
【００３２】
その他、タイムアップ信号はタイマー２５からショッピングカート手段２２に供給されてもよい。この場合には、ショッピングカート手段２２は、タイムアップ信号を受信すると、紐付けられたスマートフォン端末１３に関して予め決められたアイテム、当該アイテムの数量および購入金額に基づき自動でカート情報データを生成する。カート情報データは購入情報作成手段２３でアカウント情報データに関連づけられる。発注手段２４ではカート情報データおよびアカウント情報データに基づき注文書は作成される。こうしてタイムアップ信号の受信を契機にショッピングカート手段２２、購入情報作成手段２３および発注手段２４が連動することで注文書は第２記憶装置１８に保存されることができる。
【００３３】
ここでは、ショッピングサイト装置１４はインターネット１２に接続されるウエブサーバー３１内に構築される。ウエブサーバー３１は、アカウント管理手段１９、ショッピングサイト表示手段２１、ショッピングカート手段２２、購入情報作成手段２３、発注手段２４およびタイマー２５として機能する中央演算処理装置（ＣＰＵ）３２と、ＣＰＵ３２に接続されて、アプリケーションの実施にあたって一時的にプログラムやデータを保持するメモリー３３と、ＣＰＵ３２に接続されて、プログラムやデータを格納する大容量記憶装置３４とを備える。大容量記憶装置３４は例えばハードディスク駆動装置（ＨＤＤ）を含む。大容量記憶装置３４には、例えば、ショッピングサイトの表示データ（ＨＴＭＬデータ）、アカウント情報の管理を担うアカウント管理アプリケーションプログラム、カート情報データの生成を担うショッピングカートアプリケーションプログラム、注文書の作成を担う発注処理アプリケーションプログラム、および、タイマー機能を担うタイマーアプリケーションプログラムが格納される。
【００３４】
図２に示されるように、ショッピングサイトの表示データには、商品（アイテム）の静止画像３５を特定する画像データと、商品情報３６を特定するテキストデータとが含まれる。表示データは例えばＨＴＭＬ言語で記述される。商品情報３６には、商品名（ここでは「ａｆｔｅｒ３」）３６ａや商品の種類（ここでは「フェイスパック（マスク）」）３６ｂ、価格（ここでは「３００円」）３６ｃ、使用方法などが含まれることができる。表示データは、インターネット１２から取得される表示要求に応じて、要求の発信元に向けて送信される。静止画像３５や商品情報３６は大容量記憶装置３４に格納されればよい。
【００３５】
ＣＰＵ３２でショッピングカートアプリケーションプログラムが実行されると、ウエブサーバー３１上でショッピングカートアプリケーションは動作する。ショッピングカートアプリケーションは、インターネット１２から受信する選択信号に基づき、特定のスマートフォン端末１３に紐付けられたアイテム、当該アイテムの数量および購入金額を特定するカート情報データを生成する。こうしてＣＰＵ３２はショッピングカート手段２２として機能する。「カートに入れる」ボタン３７のタップ操作に応じてショッピングカートアプリケーションはカート情報データを生成する。
【００３６】
図３に示されるように、ショッピングサイトの表示データには、カート情報データを表示する構図３８を特定する構図データが含まれる。構図３８では、埋め込まれる静止画像３５および商品情報３６でアイテムは特定されることができる。構図３８には、アイテムの数量を特定する画像（またはテキスト）３８ａや、「商品金額合計（税別）」の金額を特定する画像（またはテキスト）３８ｂ、「送料（梱包手数料含む）」の金額を特定する画像（またはテキスト）３８ｃ、「消費税」の金額を特定する画像（またはテキスト）３８ｄ、「合計（税込）」の金額を特定する画像（またはテキスト）３８ｅが埋め込まれることができる。
【００３７】
ＣＰＵ３２でアカウント管理アプリケーションプログラムが実行されると、ウエブサーバー３１上でアカウント管理アプリケーションは動作する。アカウント管理アプリケーションは、個々のログインＩＤごとにインターネット１２から受信する入力データに基づきアカウント情報データを作成する。入力データでアカウント情報の各項目「氏名」「住所」「決済情報」「ログインパスワード」は特定されることができる。アカウント管理アプリケーションは、ログインパスワードに基づき、アカウント情報に対して利用者本人以外のアクセスを制限することができる。こうしてＣＰＵ３２はアカウント管理手段１９として機能する。「注文手続きへ進む」ボタン３９のタップ操作に応じてアカウント管理アプリケーションは起動することができる。
【００３８】
図４に示されるように、ショッピングサイトの表示データには、利用者に決済手続きを促す画像やテキストを特定する画像データやテキストデータが含まれる。表示データには、例えば、ログインＩＤの入力ボックス４１ａやログインパスワードの入力ボックス４１ｂが記述される。「ログイン」ボタン４１ｃがタップされると、入力ボックス４１ａ、４１ｂに入力された文字列を特定するテキストデータはアカウント管理アプリケーションに引き渡される。アカウント管理アプリケーションは、ログインＩＤごとに、予め登録されたログインパスワードにテキストデータを照らし合わせる。テキストデータのログインパスワードが認証されると、利用者は決済手続きを進めることができる。
【００３９】
ＣＰＵ３２で発注処理アプリケーションプログラムが実行されると、ウエブサーバー３１上で発注処理アプリケーションは動作する。発注処理アプリケーションは、アカウント管理アプリケーションの働きでログインＩＤが認証されると、ログインＩＤに関連する決済情報を含むアカウント情報データを取得し、アカウント情報データにカート情報データを関連づける。こうしてＣＰＵ３２は購入情報作成手段２３として機能する。
【００４０】
発注処理アプリケーションは、相互に関連づけられたカート情報データおよびアカウント情報データに基づき注文書を作成し、第２記憶装置１８の注文書データベース１７に登録する。こうしてＣＰＵ３２は発注手段２４として機能する。ここでは、アカウント処理アプリケーションはアカウント情報データベース１５および注文書データベース１７に基づき個々のログインＩＤ（利用者）ごとに購入履歴データを生成することができる。
【００４１】
ＣＰＵ３２でタイマーアプリケーションプログラムが実行されると、ウエブサーバー３１上でタイマーアプリケーションは動作する。タイマーアプリケーションは、インターネット１２から受信する開始信号に応じて予め決められた時間を計時する。ここでは、時間には３分が設定される。「３分」は美容フェイスパック（フェイスマスク）の使用時間（推奨）に相当する。図５に示されるように、タイマーアプリケーションは、計時に応じて刻々と変化する画像４２を特定する画像データを出力する。画像データは、受信した開始信号に紐付けられる特定のスマートフォン端末１３に向けて送信される。
【００４２】
計時が完了すると、タイマーアプリケーションは、開始信号で特定されるスマートフォン端末１３に関連してタイムアップ信号を出力する。タイムアップ信号はショッピングカートアプリケーションに引き渡される。ここでは、「信号」はアプリケーション相互間の情報の伝達に使用され必ずしも物理的な電気信号でなくてもよい。計時にあたってタイマーアプリケーションはウエブサーバー３１内の時計やクロック回路から時間情報を取得すればよい。その他、計時にあたってスマートフォン端末１３内の時計やクロック回路が利用されてもよい。この場合には、計時の完了はスマートフォン端末１３のブラウザーからウエブサーバー３１内のタイマーアプリケーションに通知されればよい。
【００４３】
ウエブサーバー３１には、例えばインターネット１２経由で管理者用インターネット端末４４が接続される。インターネット端末４４は、例えば、ＣＰＵ４５と、ＣＰＵ４５に接続されて、ＣＰＵ４５の動作にあたって一時的にプログラムやデータを保持するメモリー４６と、ＣＰＵ４５に接続されて、ブラウザーアプリケーションプログラムを格納する大容量記憶装置４７と、ＣＰＵ４５に接続されて、管理者の操作に応じて指示やデータを入力するキーボードやマウスといった入力装置４８と、ＣＰＵ４５に接続されて、画面上に画像を表示するディスプレイパネル４９とを備える。
【００４４】
ブラウザーアプリケーションプログラムが実行されると、インターネット端末４４でブラウザーは動作する。ディスプレイパネル４９の画面にはブラウザーが表示される。ブラウザーは、ウエブサーバー３１から提供されるショッピングサイトの管理者サイトに接続されることができる。接続に応じてブラウザーには管理者サイトが表示される。販売者（の管理者）は、インターネット端末４４でブラウザーを操作し、ウエブサーバー３１の大容量記憶装置３４に商品の静止画像３５や商品情報３６を登録することができる。商品の静止画像３５や商品情報３６は、ショッピングサイトによって参照されるデータベースに登録されればよい。
【００４５】
管理者用インターネット端末４４には例えばラベルプリンター５１が接続される。ラベルプリンター５１は利用者のアカウント情報に基づき配送用のラベルをプリントアウトすることができる。ラベルには、商品を購入した利用者の郵便番号、住所および氏名がプリントされる。ラベルは例えば封筒に貼付されて使用されることができる。ラベルには定型化された宅配便のラベルが用いられてもよい。
【００４６】
スマートフォン端末１３は、例えば、ＣＰＵ５２と、ＣＰＵ５２に接続されて、ブラウザーアプリケーションプログラム５３ａや音声認識プログラム５３ｂ、データを格納するメモリー５４と、ＣＰＵ５２に接続されて、画面上に画像を表示するディスプレイパネル５５と、ＣＰＵ５２に接続されて、空気中を伝わる音声から音声信号を生成するマイクロフォン５６と、ＣＰＵ５２に接続されて、音声信号に基づき音声を再生するスピーカー５７とを備える。ディスプレイパネル５５はタッチスクリーンパネルとして構成される。タッチスクリーンパネルは、画面に表示される画像と、画面で検出される接触の座標値とに基づき、ＣＰＵ５２に向けて利用者の指示やデータを入力する。ＣＰＵ５２は通信回路５８経由で通信網５９に無線で接続されることができる。通信網５９は、例えばゲートウエイでインターネット１２に接続される携帯電話通信網であればよい。その他、ＣＰＵ５２はＷｉＦｉ（登録商標）回路６１経由でＷｉＦｉルーター６２に無線で接続されることができる。ＷｉＦｉルーター６２はインターネット１２にＷｉＦｉ回路６１を接続する。
【００４７】
ブラウザーアプリケーションプログラム５３ａが実行されると、スマートフォン端末１３でブラウザーは動作する。ブラウザーは通信網５９およびインターネット１２経由でウエブサーバー３１に接続される。ブラウザーアプリケーションはウエブサーバー３１にショッピングサイトの表示データを要求することができる。ブラウザーは、図２に示されるように、ディスプレイパネル５５の画面にショッピングサイトの画像を表示する。
【００４８】
音声認識プログラム５３ｂが実行されると、スマートフォン端末１３で音声認識アプリケーションは動作する。音声認識アプリケーションは、マイクロフォン５６から供給される音声信号に基づき、音声から特定される文字列のテキストデータを生成する。テキストデータはウエブサーバー３１のタイマーアプリケーションに引き渡される。ここでは、タイマーアプリケーションは、予め設定された文字列（合い言葉）にテキストデータの文字列を照らし合わせる。テキストデータの文字列が合い言葉に一致すると、タイマーアプリケーションは計時を開始する。すなわち、音声のテキストデータは予め決められた文字列を特定する開始信号として機能する。
【００４９】
スマートフォン端末１３のブラウザーでショッピングサイトのＵＲＬが指定されると、ブラウザーは通信網５９およびインターネット１２経由でウエブサーバー３１のショッピングサイト表示アプリケーションに接続される。図６に示されるように、ブラウザーは手順Ｓ１でウエブサーバー３１にショッピングサイトの表示データを要求する。ショッピングサイト表示アプリケーションは、手順Ｓ２で、スマートフォン端末１３のブラウザーからの要求に応じて、スマートフォン端末１３に向けて静止画像３５および商品情報３６を含む表示データを送信する。表示データに基づきディスプレイパネル５５の画面には、手順Ｓ３で、図２に示されるように、ショッピングサイトの画像が表示される。利用者は、静止画像３５および商品情報３６に基づきアイテムを確認することができる。気に入ったアイテムであれば、利用者はディスプレイパネル５５の画面から特定の操作に基づき購入の意向を入力することができる。入力にあたって利用者はアイテムの数量を指定する（またはデフォルトの数量を確認する）。「カートに入れる」ボタン３７がタップされると、手順Ｓ４で、選択信号はショッピングカートアプリケーションに引き渡される。ショッピングカートアプリケーションは手順Ｓ５で選択信号に基づきカート情報データを生成する。
【００５０】
スマートフォン端末１３で「カート」アイコン６４がタップされると、手順Ｓ６で、対応する表示要求はスマートフォン端末１３からウエブサーバー３１に送信される。ショッピングサイト表示アプリケーションは、手順Ｓ７で、スマートフォン端末１３のブラウザーからの要求に応じて、スマートフォン端末１３に向けて構図３８を特定する構図データを送信する。表示データに基づきディスプレイパネル５５の画面には、手順Ｓ８で、図３に示されるように、ショッピングカートの画像が表示される。利用者は、静止画像３５および商品情報３６に基づき購入対象のアイテムを特定することができる。利用者は、画像（またはテキスト）３８ａに基づき購入するアイテムの数量を特定することができる。利用者は、画像（またはテキスト）３８ｂ、３８ｃ、３８ｄ、３８ｅに基づき「商品金額合計（税別）」の金額、「送料（梱包手数料含む）」の金額、「消費税」の金額および「合計（税込）」の金額を確認することができる。
【００５１】
スマートフォン端末１３で「注文手続きに進む」ボタン３９がタップされると、手順Ｓ９で、対応する表示要求はスマートフォン端末１３からウエブサーバー３１に送信される。このとき、手順Ｓ１０で、カート情報データは発注処理アプリケーションに引き渡される。ショッピングサイト表示アプリケーションは、手順Ｓ１１で、スマートフォン端末１３からの要求に応じて、スマートフォン端末１３に向けて決済手続きを促す表示データを送信する。表示データに基づき、ディスプレイパネル５５の画面には、手順Ｓ１２で、図４に示されるように、ログインＩＤの入力ボックス４１ａおよびログインパスワードの入力ボックス４１ｂが表示される。利用者は入力ボックス４１ａ、４１ｂに文字列を入力する。文字列の入力にあたって例えばスマートフォン端末１３のタッチスクリーンパネルは利用されることができる。「ログイン」ボタン４１ｃがタップされると、入力ボックス４１ａ、４１ｂに入力された文字列を特定するテキストデータは手順Ｓ１３でスマートフォン端末１３からアカウント管理アプリケーションに向けて送信される。テキストデータはアカウント管理アプリケーションに引き渡される。アカウント管理アプリケーションは、ログインＩＤごとに、予め登録されたログインパスワードにテキストデータを照らし合わせる。手順Ｓ１４でテキストデータのログインパスワードが認証されると、利用者は決済手続きに進むことができる。発注処理アプリケーションは手順Ｓ１５でカート情報データにアカウント情報データを関連づけることができる。
【００５２】
ログインＩＤの利用に先立ってウエブサーバー３１では第１記憶装置１７内に利用者ごとにアカウント情報データは作成される。アカウント情報データの作成にあたってディスプレイパネル５５の画面で「会員登録はこちら」ボタン６５はタップされる。対応する表示要求はスマートフォン端末１３からアカウント管理アプリケーションに送信される。アカウント管理アプリケーションは、スマートフォン端末１３からの要求に応じて、スマートフォン端末１３に向けてアカウント情報の登録画面を含む表示データを送信する。表示データに基づきディスプレイパネル５５の画面には、ログインＩＤ（例えばＥメールアドレス）の入力ボックス、氏名の入力ボックス、郵便番号の入力ボックス、住所の入力ボックス、連絡先（電話番号やＥメールアドレス）の入力ボックス、支払い方法の選択肢、支払い方法でクレジットカード払いが選択された場合にはクレジットカードのカード番号および有効期限、および、ログインパスワードの入力ボックスが表示される。その他、ディスプレイパネル５５の画面では利用者の属性情報に関する入力ボックスや選択肢が表示されてもよい。こうしてアカウント管理アプリケーションは利用者ごとにアカウント情報を収集する。ログインＩＤごとにアカウント情報データは作成される。アカウント情報データは第１記憶装置１６のアカウント情報データベース１５に登録される。
【００５３】
決済手続きが完了すると、発注処理アプリケーションは手順Ｓ１６でカート情報データおよびアカウント情報データに基づき注文書を作成する。注文書は、手順Ｓ１７で、第２記憶装置１８の注文書データベース１７に登録される。手順Ｓ１８で、注文書の作成は管理者用インターネット端末４４に通知される。通知に応じて販売者（の管理者）はディスプレイパネル４９の画面で注文書を確認することができる（手順Ｓ１９）。こうして購入されたアイテムの発送処理は進められていくことができる。アイテムの発送にあたって販売者は紐付けられたアカウント情報に基づきラベルプリンター５１から配送用のラベルをプリントアウトすることができる。
【００５４】
図７（Ａ）に示されるように、美容フェイスパック（フェイスマスク）の利用にあたって利用者はパッケージを開封しパッケージからフェイスマスクを取り出す。図７（Ｂ）に示されるように、美容液（美容成分を含んだ水）にひたひたに浸されたフェイスマスクは利用者の顔に適用される。ひたひたの美容液の働きでフェイスマスクは利用者の顔面に張り付く。ここでは、図７（Ｃ）に示されるように、３分にわたってフェイスマスクの適用は維持される。適用時間が３分を超えても、さらなる効果の増幅は見込まれない。図７（Ｄ）に示されるように、３分が経過すると、フェイスマスクは顔から外される。その後、利用者は顔に付着する美容液を水で洗い流すことができる。洗顔後、肌そのものの潤いは確保されることができる。顔面の水分が拭き取られると、利用者はそのまま顔にメイクアップを施すことができる。
【００５５】
アイテム（ここでは美容フェイスパック）の利用にあたって予め決められた時間（ここでは３分間）の計時は要求される（推奨される）。消費者は、例えばできる限り短時間に美観の達成を望むことから、最短時間の区切りとして３分間の計時に強い利用価値を見出す。利用時間が３分を切ってしまうと、利用者は美観の達成に疑念を感じるかもしれない。とはいえ、利用時間が３分を超えてしまうと、利用者は無駄な時間の浪費に憤りを覚えるかもしれない。ここでは、利用者は、３分間の計時にあたってショッピングサイトシステム１１に組み込まれたタイマーアプリケーションを利用することができる。
【００５６】
タイマーアプリケーションの利用にあたってスマートフォン端末１３でブラウザーは立ち上げられる。ブラウザーでタイマーアプリケーションのＵＲＬが指定されると、ブラウザーは通信網５９およびインターネット１２経由でウエブサーバー３１のタイマーアプリケーションに接続される。図８に示されるように、ＵＲＬの指定は手順Ｔ１で要求信号の送信に相当する。タイマーアプリケーションは、スマートフォン端末１３からの要求に応じて、手順Ｔ２で、承認手続きを促す表示データを送信する。表示データに基づき、ディスプレイパネル５５の画面には、図９に示されるように、手順Ｔ３で、購入の最終確認の入力を受け付ける画像６６が表示される。画像６６には、例えば、予め決められたアイテムを特定する文字列６６ａ、当該アイテムの数量を特定する文字列６６ｂおよび購入金額を特定する文字列６６ｃが記述される。したがって、購入の最終確認は注文書の最終確認に相当する。
【００５７】
画像には、ログインＩＤの入力ボックス６７ａおよびログインパスワードの入力ボックス６７ｂが含まれる。利用者は入力ボックス６７ａ、６７ｂに文字列を入力する。文字列の入力にあたって例えばスマートフォン端末１３のタッチスクリーンパネルは利用されることができる。「喜んで」ボタン６７ｃがタップされると、入力ボックス６７ａ、６７ｂに入力された文字列を特定するテキストデータは手順Ｔ４でスマートフォン端末１３からアカウント管理アプリケーションに向けて送信される。テキストデータはアカウント管理アプリケーションに引き渡される。アカウント管理アプリケーションは、ログインＩＤごとに、予め登録されたログインパスワードにテキストデータを照らし合わせる。手順Ｔ５でテキストデータのログインパスワードが認証されると、ログインＩＤに関連する決済情報を含むアカウント情報データは手順Ｔ６で発注処理アプリケーションに引き渡される。
【００５８】
こうしてログインＩＤが認証されると、ショッピングカートアプリケーションは、手順Ｔ７で、予め決められたアイテム（ここでは美容フェイスパック）、当該アイテムの数量および購入金額を特定するカート情報データを生成する。カート情報データは手順Ｔ８で発注処理アプリケーションに引き渡される。カート情報データはアカウント情報データに関連づけられる。発注処理アプリケーションは、手順Ｔ９でアカウント情報データおよびカート情報データに基づき注文書を作成する。
【００５９】
手順Ｔ５でログインＩＤが認証されると、スマートフォン端末１３のブラウザーは手順Ｔ１０でウエブサーバー３１にタイマー２５の画像データを要求する。タイマーアプリケーションは、手順Ｔ１１で、スマートフォン端末１３のブラウザーからの要求に応じて、スマートフォン端末１３に向けて画像４２を特定する画像データを送信する。画像データに基づき、ディスプレイパネル５５の画面には、手順Ｔ１２で、図５に示されるように、タイマー２５の画像が表示される。
【００６０】
ここでは、計時の開始にあたって利用者にはスマートフォン端末１３に向かって音声の入力が要求される。利用者はマイクロフォン５６に向かって予め決められた言葉を発声する。音声認識アプリケーションは、マイクロフォン５６から入力される音声信号に基づき、音声から特定される文字列のテキストデータを生成する。テキストデータは、手順Ｔ１３で、ウエブサーバー３１のタイマーアプリケーションに引き渡される。こうして手順Ｔ１４でタイマーアプリケーションは３分の計時を開始する。テキストデータは、予め決められた文字列を特定する開始信号として機能する。テキストデータの文字列が予め決められた文字列（合い言葉）から相違する場合には、タイマーアプリケーションはスマートフォン端末１３に向けて再入力を促す画像や音声を送信することができる。
【００６１】
フェイスマスクの適用にあたって利用者の手には美容液が付着する。したがって、音声の入力で計時が開始されれば、利用者はフェイスマスクの適用後にスマートフォン端末１３に触れずに済む。スマートフォン端末１３に対して美容液の付着は防止されることができる。ただし、計時は、タッチスクリーンパネルのタップ操作に基づき開始されてもよい。
【００６２】
計時が開始されると、タイマーアプリケーションは手順Ｔ１５でスマートフォン端末１３に向けて計時を表現する画像の表示データを送信する。スマートフォン端末１３のディスプレイパネル５５には手順Ｔ１６で計時を表現する画像が表示される。利用者は画像に基づき３分の経過を確認することができる。計時の表示は計時の終了まで継続されればよい。
【００６３】
計時が完了すると、タイマーアプリケーションは手順Ｔ１７で予め決められた時間の計時の完了を特定するタイムアップ信号を生成する。発注処理アプリケーションは、タイムアップ信号を受信すると、手順Ｔ１８で第２記憶装置１８の注文書データベース１７に注文書を登録する。手順Ｔ１９で、注文書の作成は管理者用インターネット端末４４に通知される。通知に応じて販売者（の管理者）はディスプレイパネル４９の画面で注文書を確認することができる（手順Ｔ２０）。こうして購入されたアイテムの発送処理は進められていくことができる。アイテムの発送にあたって販売者は紐付けられたアカウント情報に基づきラベルプリンター５１から配送用のラベルをプリントアウトすることができる。
【００６４】
本実施形態に係るショッピングサイト装置１４は、特定の要求信号に応じて、予め決められたアイテム、当該アイテムの数量および購入金額を特定するカート情報データを生成するショッピングカート手段２２と、ログインＩＤの認証に応じてログインＩＤに関連する決済情報を含むアカウント情報データを取得し、アカウント情報データにカート情報データを関連づける購入情報作成手段２３と、予め決められた時間の計時の完了を特定するタイムアップ信号を受信すると、第２記憶装置１８に、アカウント情報データおよびカート情報データに基づき作成された注文書を保存する発注手段２４とを備える。
【００６５】
スマートフォン端末１３から送信される要求信号に応じて、ショッピングカート手段２２は自動で予め決められたカート情報データを作成する。購入情報作成手段２３は、ログインＩＤの認証に応じて得られたアカウント情報データにカート情報データを関連づける。こうしてアカウント情報データおよびカート情報データに基づき注文書は作成されることができる。発注手段２４は、予め決められた時間の計時の完了を特定するタイムアップ信号を受信すると、第２記憶装置１８に注文書を保存する。アイテムの販売者は、保存された注文書に基づき利用者にアイテムを発送することができる。こうして利用者はアイテムを入手することができる。
【００６６】
ここで、美容フェイスパック（フェイスマスク）の使用にあたって予め決められた時間（ここでは３分間）の計時は要求される。利用者はタイマー２５の作動に基づき時間を計測する。こうしてアイテムの利用にあたって作動するタイマー２５からタイムアップ信号は出力される。アイテムの利用にあたって作動するタイマー２５と注文書とは関連づけられる。フェイスマスクの使用は販売者から利用者に向けたアイテムの発送に関連づけられることができる。こうしてショッピングサイト装置１４は自動で買い置きを作り出すことができる。
【００６７】
図１０は本発明の第２実施形態に係るショッピングサイトシステム１１の構成を概略的に示す。第２実施形態に係るショッピングサイト装置１４ａは、スマートフォン端末１３に向けて、予め決められた時間長さの映像を特定する映像信号を供給する配信手段７１をさらに備える。映像の時間長さはフェイスマスクの適用時間（ここでは３分）に合わせ込まれる。図１１に示されるように、手順Ｔ１０まで図８と同様に処理手順は進行する。手順Ｔ１０でタイマー２５の画像データが要求されると、タイマーアプリケーションは、手順Ｔ２１で、スマートフォン端末１３のブラウザーからの要求に応じて、スマートフォン端末１３に向けて画像７２を特定する画像データを送信する。画像データには映像の表示にあたって用いられる構図が書き込まれる。画像データに基づき、ディスプレイパネル５５の画面には、手順Ｔ２２で、図１２に示されるように、画像は表示される。画像では映像信号に基づき待機中の映像７３が構図に埋め込まれる。
【００６８】
ここでは、前述と同様に、計時の開始にあたって利用者にはスマートフォン端末１３に向かって音声の入力が要求される。利用者はマイクロフォン５６に向かって予め決められた言葉を発声する。音声認識アプリケーションは、マイクロフォン５６から入力される音声信号に基づき、音声から特定される文字列のテキストデータを生成する。テキストデータは、手順Ｔ２３で、ウエブサーバー３１のタイマーアプリケーションに引き渡される。こうして手順Ｔ２４でタイマーアプリケーションは映像信号の配信を開始する。テキストデータは、予め決められた文字列を特定する開始信号として機能する。テキストデータの文字列が予め決められた文字列（合い言葉）から相違する場合には、タイマーアプリケーションはスマートフォン端末１３に向けて再入力を促す画像や音声を送信することができる。
【００６９】
映像信号に基づき、ディスプレイパネル５５の画面には、手順Ｔ２５で、図１２に示されるように、映像（例えば音声付きの動画）７３が表示される。映像には例えばショートコントやミュージックビデオ、映画の予告編などが用いられることができる。フェイスマスクの使用中、利用者はディスプレイパネル５５の画面で映像７３を鑑賞することができる。フェイスマスクの使用にあたって要求される退屈な時間は楽しい時間に変換されることができる。タイマーアプリケーションは配信手段７１として機能する。利用者は映像の終了に基づき３分の経過を確認することができる。
【００７０】
映像７３が終了すると、タイマーアプリケーションは手順Ｔ２６で予め決められた時間の計時の完了を特定するタイムアップ信号を生成する。発注処理アプリケーションは、タイムアップ信号を受信すると、手順Ｔ２７で第２記憶装置１８の注文書データベース１７に注文書を登録する。手順Ｔ２８で、注文書の作成は管理者用インターネット端末４４に通知される。通知に応じて販売者（の管理者）はディスプレイパネル４９の画面で注文書を確認することができる（手順Ｔ２９）。こうして購入されたアイテムの発送処理は進められていくことができる。アイテムの発送にあたって販売者は紐付けられたアカウント情報に基づきラベルプリンター５１から配送用のラベルをプリントアウトすることができる。
【００７１】
本実施形態では、予め決められた時間の計時にあたってタイマーアプリケーションはスマートフォン端末１３から計時の開始信号を受信する。このとき、開始信号には特定の文字列が用いられる。利用者は計時の開始にあたって文字列（合い言葉）の入力を楽しむことができる。文字列が定期的に変更されれば、利用者の楽しみはさらに増加することができる。
【００７２】
図１３は本発明の第３実施形態に係るショッピングサイトシステム１１の構成を概略的に示す。第３実施形態では、前述のブラウザーアプリケーションプログラム５３ａに代えて、スマートフォン端末１３のメモリー５４にモバイル通信端末向けプログラム７４が組み込まれる。モバイル通信端末向けプログラム７４が実行されると、スマートフォン端末１３でモバイルアプリ（スマートフォン端末向けアプリケーション）は動作する。モバイルアプリとショッピングサイトとの間に経路は確立される。経路の確立にあたってアカウント管理アプリケーションでログインＩＤの認証が実施される。ログインＩＤには、モバイルアプリとショッピングサイトとの間で事前に取り決められたＩＤやパスワードが用いられることができる。モバイルアプリは、起動に応じて、ログインＩＤに関連する決済情報を取得する。
【００７３】
アイテム（ここでは美容フェイスパック）の利用にあたって利用者はモバイルアプリを起動する。起動にあたって例えばディスプレイパネル５５の画面で利用者はモバイルアプリに対応するアイコンをタップする。図１４に示されるように、モバイルアプリは、立ち上がると、手順Ｖ１で、ショッピングサイトのショッピングカートアプリケーションとの間で経路を確立する。経路の確立にあたって、モバイルアプリは、手順Ｖ２で、ログインＩＤの認証処理の開始を特定する第１開始信号を生成する。第１開始信号はアカウント管理アプリケーションに引き渡される。アカウント管理アプリケーションは手順Ｖ３で第１開始信号の受信に応じてログインＩＤの認証処理を開始する。
【００７４】
ショッピングサイトとモバイルアプリとの間で経路が確立されると、ショッピングカートアプリケーションは、手順Ｖ４で、予め決められたアイテム「美容フェイスパックａｆｔｅｒ３」、当該アイテムの数量「１個」および購入金額「４６２円」を特定する購入情報信号（前述の「カート情報データ」に相当）を生成する。購入情報信号は発注処理アプリケーションに引き渡される。
【００７５】
モバイルアプリは、手順Ｖ５で、ディスプレイパネル５５の画面に、図１５に示されるように、美容フェイスパックの購入に関する確認事項を特定する画像７５を表示する。画像７５には、例えば、予め決められたアイテムを特定する文字列７５ａ、当該アイテムの数量を特定する文字列７５ｂおよび購入金額を特定する文字列７５ｃが記述される。こうして時間の計時に先立って利用者には美容フェイスパックの購入に関する確認事項がディスプレイパネル５５で提示される。利用者は計時に連動する美容フェイスパックの購入を認識することができる。利用者には、計時の開始にあたってスマートフォン端末１３に向かって音声の入力が要求される。
【００７６】
利用者はマイクロフォン５６に向かって予め決められた言葉を発声する。音声認識アプリケーションは、マイクロフォン５６から入力される音声信号に基づき、音声から特定される文字列のテキストデータを生成する。テキストデータは手順Ｖ６でモバイルアプリに引き渡される。こうして手順Ｖ７でモバイルアプリは３分の計時を開始する。テキストデータは、予め決められた時間の計時を開始する指示に相当する。テキストデータの文字列が予め決められた文字列（合い言葉）から相違する場合には、モバイルアプリは、ディスプレイパネル５５の画面に再入力を促す画像を表示することができ、あるいは、スピーカー５７から再入力を促す音声を出力することができる。
【００７７】
計時にあたって、モバイルアプリは、図１２と同様に、予め決められた時間長さの映像を特定する映像信号に基づきディスプレイパネル５５の画面に映像７３を表示する。美容フェイスパックの使用中、利用者はディスプレイパネル５５の画面で映像７３を鑑賞することができる。美容フェイスパックの使用にあたって要求される退屈な時間は楽しい時間に変換されることができる。
【００７８】
時間の計時を開始する指示が入力されると、確認事項の承認を特定する承認信号はモバイルアプリからアカウント管理アプリケーションに引き渡される。アカウント管理アプリケーションは、承認信号の受信に応じて、手順Ｖ８で、モバイルアプリにスマートフォン端末１３に紐付けられた決済情報を提供する。このように計時の開始にあたって利用者が計時開始の指示を入力すると、ショッピングサイトに対して美容フェイスパックの購入は承認されることができる。こうして利用者の意に反して美容フェイスパックが購入されることは回避されることができる。しかも、時間の計時を開始する指示は確認事項の承認信号として機能することから、個別に操作が要求される場合に比べて利用者の手間は省かれ利便性は向上することができる。
【００７９】
映像７３が終了すると、利用者は３分の経過を認識することができる。こうして時間の計時が終了すると、モバイルアプリは手順Ｖ９で決済処理の開始を特定する第２開始信号を生成する。モバイルアプリは手順Ｖ１０で第２開始信号の生成に応じて決済情報に基づき決済処理を実行する。ここでは、モバイル通信端末向けプログラム７４の実行に応じてＣＰＵ５２は決済手段として機能する。第２開始信号は前述のタイムアップ信号に相当する。決済処理が完了すると、モバイルアプリは、手順Ｖ１１で、購入情報信号に基づき作成された注文書の登録処理の開始を特定する第３開始信号を生成する。第３開始信号は発注処理アプリケーションに引き渡される。その他、モバイルアプリに代えて、ウエブサーバー３１内のアカウント管理アプリケーションが決済手段として機能してもよい。
【００８０】
発注処理アプリケーションは、第３開始信号を受信すると、手順Ｖ１２で第２記憶装置１８の注文書データベース１７に購入情報信号に基づき作成された注文書を登録する。注文書の作成にあたって発注処理アプリケーションはアカウント管理アプリケーションまたはモバイルアプリからアカウント情報を取得することができる。アカウント情報は第３開始信号に添付されてもよい。手順Ｖ１３で、注文書の作成は管理者用インターネット端末４４に通知される。通知に応じて販売者（の管理者）はディスプレイパネル４９の画面で注文書を確認することができる（手順Ｖ１４）。こうして購入されたアイテムの発送処理は進められていくことができる。アイテムの発送にあたって販売者は紐付けられたアカウント情報に基づきラベルプリンター５１から配送用のラベルをプリントアウトすることができる。
【００８１】
本実施形態に係るショッピングサイトシステム１１では、モバイル通信端末向けプログラム７４の実行に応じてスマートフォン端末１３内にタイマーは確立されることができる。すなわち、スマートフォン端末１３にタイマーは組み込まれる。タイマーは、予め決められた時間の計時の完了を特定する第２開始信号（タイムアップ信号）を出力する。モバイルアプリは計時の完了に応じて決済情報に基づき決済処理を実行する。ここでは、第２開始信号は物理的に導線を流通する電気信号で形成される必要はなくモバイルアプリ内のソフトウエア処理として記述されればよい。決済処理が完了すると、発注手段２４は第２記憶装置１８の注文書データベース１７に注文書を登録する。こうして注文書は第２記憶装置１８に保存される。アイテムの販売者は、保存された注文書に基づき利用者にアイテムを発送することができる。こうして利用者はアイテムを入手することができる。
【００８２】
ここでは、スマートフォン端末１３から送信される要求信号に応じて、ショッピングカート手段２２は予め決められたカート情報データ（購入情報信号）を作成する。要求信号は経路の確立に応じて生成されることができる。発注手段２４は、ログインＩＤの認証に応じて得られたアカウント情報データにカート情報データを関連づける。こうしてアカウント情報データおよびカート情報データに基づき注文書は作成されることができる。
【００８３】
アイテム（ここでは美容フェイスパック）の利用にあたって予め決められた時間（ここでは３分間）の計時は要求される（推奨される）。利用者は、スマートフォン端末１３に組み込まれたタイマーの作動に基づき時間を計測する。こうしてアイテムの利用にあたって作動するタイマーからタイムアップ信号は出力される。アイテムの利用にあたって作動するタイマーと注文書とは関連づけられる。フェイスマスクの使用は販売者から利用者に向けたアイテムの発送に関連づけられることができる。注文書に基づきアイテムは利用者に向けて発送されることができる。こうしてショッピングサイトシステムは自動で買い置きを作り出すことができる。
【００８４】
本実施形態では、モバイルアプリは、時間の計時に先立って、ディスプレイパネル５５の画面に、注文書の最終確認の入力を受け付ける画像７５を表示する。時間の計時に先立って利用者には注文書の最終確認の入力が促される。利用者は事前にフェイスマスクの自動発注を認識することができる。本ショッピングサイトシステム１１ではカート情報データおよびアカウント情報データは予め決まることから、計時に先立って注文書の最終確認は実現されることができる。利用者はフェイスマスクの購入に納得した上で時間の計時を楽しむことができる。
【００８５】
本実施形態に係るスマートフォン端末１３では、モバイルアプリは、ショッピングサイトとの間で経路を確立する際に、ログインＩＤの認証処理の開始を特定する第１開始信号を生成する手順と、予め決められたアイテム、当該アイテムの数量および購入金額を特定する購入情報信号を生成する手順と、予め決められた時間を計時する手順と、認証処理の完了後であって時間の計時が終了すると、決済処理の開始を特定する第２開始信号を生成する手順と、決済処理の完了に応じて、購入情報信号に基づき作成された注文書の登録処理の開始を特定する第３開始信号を生成する手順とをプロセッサーに実行させる。
【００８６】
モバイル通信端末向けプログラム７４がスマートフォン端末１３で実行されると、ショッピングサイトとスマートフォン端末１３との間で経路は確立される。経路の確立にあたってスマートフォン端末１３で第１開始信号が生成されると、第１開始信号の生成に応じてログインＩＤの認証処理は開始される。ログインＩＤの認証に応じて経路へのアクセスは制限される。こうして決済処理の環境は整えられることができる。認証処理の完了後に時間の計時が終了すると、第２開始信号の生成に応じて決済処理は開始される。決済処理が完了すると、第３開始信号の生成に応じて注文書の登録処理は開始される。アイテムの販売者は、登録された注文書に基づき利用者にアイテムを発送することができる。こうして利用者はアイテムを入手することができる。
【００８７】
美容フェイスパック（フェイスマスク）の使用にあたって予め決められた時間（ここでは３分間）の計時は要求される。スマートフォン端末１３は計時にあたって利用されることができる。こうして美容フェイスパックの使用は販売者から利用者に向けた美容フェイスパックの発送に関連づけられる。スマートフォン端末１３の操作に応じてショッピングサイトシステム１１は自動で買い置きを作り出すことができる。
【００８８】
図１６は本発明の第４実施形態に係るショッピングサイトシステム１１の構成を概略的に示す。第４実施形態では、前述のモバイル通信端末向けプログラム７４に代えて、スマートフォン端末１３のメモリー５４にモバイル通信端末向けプログラム７６が組み込まれる。モバイル通信端末向けプログラム７６が実行されると、スマートフォン端末１３でモバイルアプリ（スマートフォン端末向けアプリケーション）は動作する。モバイルアプリとショッピングサイトとの間に経路は確立される。経路の確立にあたってアカウント管理アプリケーションでログインＩＤの認証が実施される。ログインＩＤには、モバイルアプリとショッピングサイトとの間で事前に取り決められたＩＤやパスワードが用いられることができる。モバイルアプリは、起動に応じて、ログインＩＤに関連する決済情報を取得する。
【００８９】
アイテム（ここでは美容フェイスパック）の利用にあたって利用者はモバイルアプリを起動する。起動にあたって例えばディスプレイパネル５５の画面で利用者はモバイルアプリに対応するアイコンをタップする。図１７に示されるように、モバイルアプリは、立ち上がると、手順Ｗ１で、ショッピングサイトのショッピングカートアプリケーションとの間で経路を確立する。経路の確立にあたって、モバイルアプリは、手順Ｗ２で、ログインＩＤの認証処理の開始を特定する第１開始信号を生成する。第１開始信号はアカウント管理アプリケーションに引き渡される。アカウント管理アプリケーションは手順Ｗ３で第１開始信号の受信に応じてログインＩＤの認証処理を開始する。
【００９０】
モバイルアプリは、手順Ｗ４で、ディスプレイパネル５５の画面に、図１５に示されるように、美容フェイスパックの購入に関する確認事項を特定する画像７５を表示する。画像７５には、例えば、予め決められたアイテムを特定する文字列７５ａ、当該アイテムの数量を特定する文字列７５ｂおよび購入金額を特定する文字列７５ｃが記述される。こうして時間の計時に先立って利用者には美容フェイスパックの購入に関する確認事項がディスプレイパネル５５で提示される。利用者は計時に連動する美容フェイスパックの購入を認識することができる。利用者には、計時の開始にあたってスマートフォン端末１３に向かって音声の入力が要求される。
【００９１】
利用者はマイクロフォン５６に向かって予め決められた言葉を発声する。音声認識アプリケーションは、マイクロフォン５６から入力される音声信号に基づき、音声から特定される文字列のテキストデータを生成する。テキストデータは手順Ｗ５でモバイルアプリに引き渡される。こうして手順Ｗ６でモバイルアプリは３分の計時を開始する。テキストデータは、予め決められた時間の計時を開始する指示に相当する。テキストデータの文字列が予め決められた文字列（合い言葉）から相違する場合には、モバイルアプリは、ディスプレイパネル５５の画面に再入力を促す画像を表示することができ、あるいは、スピーカー５７から再入力を促す音声を出力することができる。
【００９２】
計時にあたって、モバイルアプリは、図１２と同様に、予め決められた時間長さの映像を特定する映像信号に基づきディスプレイパネル５５の画面に映像７３を表示する。美容フェイスパックの使用中、利用者はディスプレイパネル５５の画面で映像７３を鑑賞することができる。美容フェイスパックの使用にあたって要求される退屈な時間は楽しい時間に変換されることができる。
【００９３】
時間の計時を開始する指示が入力されると、確認事項の承認を特定する承認信号はモバイルアプリからアカウント管理アプリケーションに引き渡される。アカウント管理アプリケーションは、承認信号の受信に応じて、手順Ｗ７で、発注処理アプリケーションにアカウント情報データを引き渡す。このように計時の開始にあたって利用者が計時開始の指示を入力すると、ショッピングサイトに対して美容フェイスパックの購入は承認されることができる。こうして利用者の意に反して美容フェイスパックが購入されることは回避されることができる。しかも、時間の計時を開始する指示は確認事項の承認信号として機能することから、個別に操作が要求される場合に比べて利用者の手間は省かれ利便性は向上することができる。
【００９４】
映像の表示が開始されると、モバイルアプリは手順Ｗ８でウエブサーバー３１にショッピングサイトのサイトページのデータを要求する。要求は例えばＨＴＭＬで記述される。要求には例えばサイトページのＵＲＬが書き込まれればよい。ショッピングサイト表示アプリケーションは、手順Ｗ９で、モバイルアプリの要求に応じて、サイトページのデータを送信する。こうしてモバイルアプリはショッピングサイトのサイトページのデータを取得する。
【００９５】
モバイルアプリは、手順Ｗ１０で、ディスプレイパネル５５の画面にサイトページを表示することなく、サイトページ中で予め決められたアイテムを指定する。アイテムは例えば予めログインＩＤに紐付けられればよい。アイテムの指定はサイトページのデータ内に書き込まれる。同様に、モバイルアプリは、手順Ｗ１１で、ディスプレイパネル５５の画面にサイトページを表示することなく、アイテムの指定に関連してサイトページ中でアイテムの数量を指定する。ここでは、デフォルトの個数「１」が確認されればよい。数量の指定はサイトページのデータ内に書き込まれる。
【００９６】
モバイルアプリは、手順Ｗ１２で、ディスプレイパネル５５の画面にサイトページを表示することなく、アイテムの指定に関連して、購入の意思を特定する処理動作を実行する。この処理動作は、「カートに入れる」ボタン３７のタップに相当する。この処理動作に応じて、モバイルアプリでは、アイテムを指定する第１指定信号およびアイテムの数量を指定する第２指定信号は生成される。第１指定信号および第２指定信号はショッピングカートアプリケーションに引き渡される。
【００９７】
ショッピングカートアプリケーションは、第１指定信号および第２指定信号の受信に応じて、手順Ｗ１３で、予め決められたアイテム、アイテムの数量および購入金額を特定するカート情報データ（購入情報信号）を生成する。カート情報データは発注処理アプリケーションに引き渡される。
【００９８】
映像７３が終了すると、利用者は３分の経過を認識することができる。こうして時間の計時が終了すると、モバイルアプリは手順Ｗ１４で決済処理の開始を特定する第２開始信号を生成する。ここでは、第２開始信号はアカウント管理アプリケーションに引き渡される。アカウント管理アプリケーションは手順Ｗ１５で第２開始信号の受信に応じて決済処理を実行する。アカウント管理アプリケーションの処理動作に基づきＣＰＵ３２は決済手段として機能する。第２開始信号は前述のタイムアップ信号に相当する。決済処理が完了すると、アカウント管理アプリケーションは、手順Ｗ１６で、購入情報信号に基づき作成された注文書の登録処理の開始を特定する第３開始信号を生成する。第３開始信号は発注処理アプリケーションに引き渡される。
【００９９】
発注処理アプリケーションは、第３開始信号を受信すると、手順Ｗ１７で第２記憶装置１８の注文書データベース１７に購入情報信号に基づき作成された注文書を登録する。注文書の作成にあたって発注処理アプリケーションは既に受信したアカウント情報データおよびカート情報データを利用する。手順Ｗ１８で、注文書の作成は管理者用インターネット端末４４に通知される。通知に応じて販売者（の管理者）はディスプレイパネル４９の画面で注文書を確認することができる（手順Ｗ１９）。こうして購入されたアイテムの発送処理は進められていくことができる。アイテムの発送にあたって販売者は紐付けられたアカウント情報に基づきラベルプリンター５１から配送用のラベルをプリントアウトすることができる。
【０１００】
第４実施形態に係るショッピングサイトシステム１１では、第１指定信号が生成されると、ショッピングサイトのサイトページで予め決められたアイテムは指定される。第２指定信号が生成されると、ショッピングサイトのサイトページでアイテムの数量は指定される。アイテムの購入の意思を特定する処理動作が実行されると、予め決められたアイテム、アイテムの数量および購入金額を特定するカート情報データ（購入情報信号）は生成される。利用者は、アイテムの選択、数量の指定、「カートに入れる」ボタンのタップといった操作から解放されることができる。利用者の手間は省かれ利便性は向上することができる。
【符号の説明】
【０１０１】
１１…ショッピングサイトシステム、１３…モバイル通信端末（スマートフォン端末）、１４…ショッピングサイト装置、１４ａ…ショッピングサイト装置、１８…記憶手段（第２記憶装置）、２１…ショッピングサイト表示手段、２２…ショッピングカート手段、２３…購入情報作成手段、２４…発注手段、２５…タイマー、５５…ディスプレイ（ディスプレイパネル）、６５…最終確認の画像、７１…配信手段、７４…モバイル通信端末向けプログラム、７５…（確認事項の）画像、７６…モバイル通信端末向けプログラム。
【要約】
【課題】通信機器に直接に繋がらないものであっても自動で買い置きを作り出すことができるショッピングサイト装置を提供する。
【解決手段】ショッピングサイト装置１４は、特定の要求信号に応じて、予め決められたアイテム、当該アイテムの数量および購入金額を特定するカート情報データを生成するショッピングカート手段２２と、ログインＩＤの認証に応じてログインＩＤに関連する決済情報を含むアカウント情報データを取得し、アカウント情報データにカート情報データを関連づける購入情報作成手段２３と、予め決められた時間の計時の完了を特定するタイムアップ信号を受信すると、記憶手段１８に、アカウント情報データおよびカート情報データに基づき作成された注文書を保存する発注手段２４とを備える。
【選択図】図１【図１】
0006934232.tif 000002
【図２】
0006934232.tif 000003
【図３】
0006934232.tif 000004
【図４】
0006934232.tif 000005
【図５】
0006934232.tif 000006
【図６】
0006934232.tif 000007
【図７】
0006934232.tif 000008
【図８】
0006934232.tif 000009
【図９】
0006934232.tif 000010
【図１０】
0006934232.tif 000011
【図１１】
0006934232.tif 000012
【図１２】
0006934232.tif 000013
【図１３】
0006934232.tif 000014
【図１４】
0006934232.tif 000015
【図１５】
0006934232.tif 000016
【図１６】
0006934232.tif 000017
【図１７】
0006934232.tif 000018